(57)【要約】【課題】建物外壁に大きな不陸があっても竪樋を配置することができる竪樋支持具を提供するにある。【解決手段】建物外壁Ｗに固定する固定部２と、竪樋Ｔを保持する保持部３と、前記固定部２と保持部３とを連結する連結体４とからなる竪樋支持具１である。一方が横軸部５１であると共に他方が前記横軸部５１を受ける軸受部５２である内係合部４１と内被係合部２１とをそれぞれ連結体４の建物側の端部と固定部２とに設けた。一方が横軸部５１であると共に他方が前記横軸部５１を受ける軸受部５２である外係合部４２と外被係合部３１とをそれぞれ連結体４の建物から遠い側の端部と保持部３とに設けた。前記連結体４の両端部に設けた内係合部４１と外係合部４２とをそれぞれ固定部２の内被係合部２１と保持部３の外被係合部３１とに回動自在に係合した。【選択図】        図１
2004324121.tif 000002
【特許請求の範囲】
【請求項１】
建物外壁に固定する固定部と、竪樋を保持する保持部と、前記固定部と保持部とを連結する連結体とからなる竪樋支持具であって、一方が横軸部であると共に他方が前記横軸部を受ける軸受部である内係合部と内被係合部とをそれぞれ連結体の建物側の端部と固定部とに設け、一方が横軸部であると共に他方が前記横軸部を受ける軸受部である外係合部と外被係合部とをそれぞれ連結体の建物から遠い側の端部と保持部とに設け、前記連結体の両端部に設けた内係合部と外係合部とをそれぞれ固定部の内被係合部と保持部の外被係合部とに回動自在に係合して成ることを特徴とする竪樋支持具。
【請求項２】
建物外壁に固定する固定部と、竪樋を保持する保持部と、前記固定部と保持部とを連結する連結体とからなる竪樋支持具であって、一方が略球状部であると共に他方が前記略球状部を受ける内面球状の受部である内係合部と内被係合部とをそれぞれ連結体の建物側の端部と固定部とに設け、一方が略球状部であると共に他方が前記略球状部を受ける内面球状の受部である外係合部と外被係合部とをそれぞれ連結体の建物から遠い側の端部と保持部とに設け、前記連結体の両端部に設けた内係合部と外係合部とをそれぞれ固定部の内被係合部と保持部の外被係合部とに任意に回動自在に係合して成ることを特徴とする竪樋支持具。
【請求項３】
保持部の内面に内方に突出してその尖先が竪樋外面と線接触又は点接触する当接部を周方向に設けて成ることを特徴とする請求項１又は２記載の竪樋支持具。
【発明の詳細な説明】
【０００１】
【発明の属する技術分野】
本発明は、竪樋を建物外壁に取付けるための竪樋保持具に関するものである。
【０００２】
【従来の技術】
従来より、建物外壁に固定する固定部と、竪樋を保持する保持部とからなる竪樋支持具が用いられている。竪樋支持具の固定部は、建物外壁に固着する固着片と、固着片から建物外方に連設される連設片とからなり、連設片の先端に保持部が固定される。保持部は、帯状部材を平面視略コ字状又は略Ｃ字状となるように屈曲して半体を形成し、二個の半体を開閉自在に連結して内部に竪樋を保持したり、一個の半体で竪樋を掴んで保持するものである。
【０００３】
ところで、上記従来の竪樋支持具にあっては、固定部と保持部とが固定されていたため、建物外壁に不陸がある場合には、上下に複数個の竪樋支持具の固定部を建物外壁に固定した状態で各保持部が平面視において重ならず、直線状をした竪樋を配置することができないものであった。そこで、建物外壁の不陸を吸収可能な竪樋支持具が考えられた（例えば特許文献１参照）。
【０００４】
この特許文献１に示すような竪樋支持具は、建物外壁に固定する固定部と、竪樋を保持する保持部とからなり、保持部が回動自在となるように固定部に連結するものである。詳述すると、保持部からは固定部に向けて連設片が一体に形成してあって、この連設片の先端に球状をした係合部を設けると共に、前記球状をした係合部を受ける被係合部を固定部に形成し、前記球状をした係合部を固定部の受け部に嵌入したものである。これによって、保持部が固定部に対して回動して建物外壁から保持部までの距離が調節可能となって、建物外壁の不陸が吸収されるものである。
【０００５】
しかしながら、この特許文献１に示すような従来の竪樋支持具にあっては、保持部の連設片の先端に形成した係合部を固定部の被係合部に係合して回動自在としたもので、保持部は係合部と被係合部との係合部分を中心に回動することになるため、保持部を上下に大きく回動して建物外壁からの距離を調節した際に、平面視略コ字状又は略Ｃ字状に形成した帯状の半体からなる保持部が水平方向から傾斜した状態となり、保持部にて垂直方向の竪樋を保持することができなくなるものであった。
【０００６】
また、上記従来の竪樋支持具は、竪樋の保持部が上述したように上下方向に幅（通常は２〜５ｃｍ程度）を有する帯状部材からなり、保持部の内面全面が竪樋の外面全面に当接して竪樋を保持しており、竪樋が熱等によって伸縮した際に竪樋の外面全面が保持部の内面全面を摺動しようとするため、竪樋の伸縮を逃がすことができないものであった。
【０００７】
【特許文献１】
特開２００２−３２２７７６号公報
【０００８】
【発明が解決しようとする課題】
本発明は上記の点に鑑みてなされたものであり、その目的とするところは、建物外壁に大きな不陸があっても竪樋を配置することができ、また、竪樋の伸縮を逃がすことができる竪樋支持具を提供するにある。
【０００９】
【課題を解決するための手段】
上記課題を解決するために本発明に係る竪樋支持具１は、建物外壁Ｗに固定する固定部２と、竪樋Ｔを保持する保持部３と、前記固定部２と保持部３とを連結する連結体４とからなる竪樋支持具１であって、一方が横軸部５１であると共に他方が前記横軸部５１を受ける軸受部５２である内係合部４１と内被係合部２１とをそれぞれ連結体４の建物側の端部と固定部２とに設け、一方が横軸部５１であると共に他方が前記横軸部５１を受ける軸受部５２である外係合部４２と外被係合部３１とをそれぞれ連結体４の建物から遠い側の端部と保持部３とに設け、前記連結体４の両端部に設けた内係合部４１と外係合部４２とをそれぞれ固定部２の内被係合部２１と保持部３の外被係合部３１とに回動自在に係合して成ることを特徴とするものである。このような構成とすることで、連結体４のみが傾斜して上下に幅を有する保持部３が略水平状態を保ったまま建物外壁Ｗからの距離が調節できて、保持部３にて垂直（鉛直）方向に配設してある竪樋Ｔを片当たりすることなく保持可能となるものである。
【００１０】
また、建物外壁Ｗに固定する固定部２と、竪樋Ｔを保持する保持部３と、前記固定部２と保持部３とを連結する連結体４とからなる竪樋支持具１であって、一方が略球状部６１であると共に他方が前記略球状部６１を受ける内面球状の受部６２である内係合部４１と内被係合部２１とをそれぞれ連結体４の建物側の端部と固定部２とに設け、一方が略球状部６１であると共に他方が前記略球状部６１を受ける内面球状の受部６２である外係合部４２と外被係合部３１とをそれぞれ連結体４の建物から遠い側の端部と保持部３とに設け、前記連結体４の両端部に設けた内係合部４１と外係合部４２とをそれぞれ固定部２の内被係合部２１と保持部３の外被係合部３１とに任意に回動自在に係合して成ることを特徴とするものである。このような構成とすることで、連結体４のみが傾斜して上下に幅を有する保持部３が略水平状態を保ったまま建物外壁Ｗからの距離が調節できて、保持部３にて垂直（鉛直）方向に配設してある竪樋Ｔを片当たりすることなく保持可能となり、更に、水平方向の固定部２の取付け位置の誤差も吸収される。
【００１１】
また、保持部３の内面に内方に突出してその尖先３４ａが竪樋Ｔ外面と線接触又は点接触する当接部３４を周方向に設けることが好ましい。このような構成とすることで、当接部３４の尖先３４ａが竪樋Ｔの外面を容易に摺動して竪樋Ｔの伸縮を逃がすことができる。
【００１２】
【発明の実施の形態】
以下、本発明の竪樋支持具１の一実施形態について図１乃至図３に基づいて説明する。竪樋支持具１は、建物外壁Ｗに固定する固定部２と、竪樋Ｔを保持する保持部３と、前記固定部２と保持部３とを連結する連結体４とで構成される金属製のものである。
【００１３】
固定部２は、建物外壁Ｗに固着される板状をしたもので、固着具挿通孔（図示せず）が形成してあり、ねじ又は釘からなる固着具（図示せず）を前記固着具挿通孔に挿通して建物外壁Ｗに固着することで固定される。また固定部２には、建物の外方側の面に連結体４が連結される内被係合部２１が形成してあり、これについては後述する。
【００１４】
保持部３は、上下幅が２〜５ｃｍ程度の帯状部材を平面視略コ字状又は略Ｃ字状となるように屈曲して半体（３ａ，３ｂ）を形成し、一の半体（３ａ）の端部に他の半体（３ｂ）の端部を枢支して両半体（３ａ，３ｂ）が互いに回動自在となるように連結し、両半体（３ａ，３ｂ）の枢支部３２と反対側の端部に係止部３３を設けて係脱自在に係止することで、平面視略Ｏ字状又は略ロ字状となって内部に竪樋Ｔが保持される。なお、保持部３の上下幅は前記２〜５ｃｍに限定されない。
【００１５】
また、保持部３の内面には、図３に示すように、内方に突出してその尖先３４ａが竪樋Ｔ外面と線接触又は点接触する当接部３４が設けてある。本実施形態では、保持部３の内面に断面横向き山型をした当接部３４を周方向全長に設けてあり、上下方向の中央部に形成される尖先３４ａが竪樋Ｔの外面に線接触状態で当接するものである。このようにすることで、竪樋Ｔが熱等によって伸縮した際、竪樋Ｔの外面と線接触している保持部３の当接部３４の尖先３４ａのみが竪樋Ｔの外面を摺動することとなって、当接部３４の尖先３４ａが竪樋Ｔの外面を容易に摺動して竪樋Ｔの伸縮を逃がすことができる。
【００１６】
そして、固定部２及び連結体４に近い方の半体３ａの外面には、連結体４が連結される外被係合部３１が形成してあり、これらについて以下に説明する。
【００１７】
連結体４は、建物外壁Ｗに垂直な方向を長手方向とする棒状をしたもので、内側端部（建物外壁Ｗに近い側の端部）に固定部２の内被係合部２１と係合する内係合部４１を設けると共に、外側端部（建物外壁Ｗから遠い側の端部）に保持部３の外被係合部３１と係合する外係合部４２を設けてある。連結体４の内係合部４１と外係合部４２はそれぞれ、連結体４の内側端部と外側端部において連結体４の長手方向と略直交して且つ略水平な方向に断面円形の横軸部５１を突出して形成してある。また、固定部２の内被係合部２１と保持部３の外被係合部３１はそれぞれ、前記横軸部５１を受ける軸受部５２として形成してある。
【００１８】
そして、連結体４の内係合部４１を固定部２の内被係合部２１内に回動自在に嵌入すると共に、連結体４の外係合部４２を保持部３の外被係合部３１内に回動自在に嵌入することで、固定部２と保持部３とを連結体４を介して二箇所で水平軸廻りに回動自在となるように連結してある。なお、内係合部４１及び内被係合部２１と、外係合部４２及び外被係合部３１とは、互いに係合する一方が横軸部５１で他方が軸受部５２であれば、いずれが横軸部５１・軸受部５２でもよい。
【００１９】
このような竪樋支持具１は、建物外壁Ｗの上下に複数個取付け、直線状の竪樋Ｔを建物外壁Ｗに沿って垂直（鉛直）方向に配設するものである。そして、建物外壁Ｗに不陸がある場合、竪樋Ｔ及び竪樋支持具１の保持部３から建物外壁Ｗまでの距離が竪樋支持具１によって異なるが、本実施形態のように固定部２と保持部３とを間に介在する連結体４の両端部にて回動自在となるように連結したことで、連結体４のみが傾斜して上下に幅を有する保持部３が略水平状態を保ったまま建物外壁Ｗからの距離が調節できて、保持部３にて垂直（鉛直）方向に配設してある竪樋Ｔを片当たりすることなく保持可能となるものである。
【００２０】
次に、他の実施形態について図４に基づいて説明する。この図４に示す実施形態は、図１及び図２に示す上実施形態のものと比べて、連結体４の内係合部４１及び外係合部４２と、固定部２の内被係合部２１と、保持部３の外被係合部３１とが異なるものである。
【００２１】
上実施形態においては、内係合部４１と内被係合部２１、外係合部４２と外被係合部３１は、互いに係合する一方が横軸部５１で他方が軸受部５２であったのに対し、本実施形態では、互いに係合する一方が球状部６１で他方が前記球状部６１を受ける受部６２としたもので、連結体４の内係合部４１と外係合部４２とに球状部６１を設けると共に、固定部２の内被係合部２１及び保持部３の外被係合部３１を受部６２としてある。
【００２２】
そして、連結体４の内係合部４１を固定部２の内被係合部２１内に任意に回動自在に嵌入すると共に、連結体４の外係合部４２を保持部３の外被係合部３１内に任意に回動自在に嵌入することで、固定部２と保持部３とを連結体４を介して二箇所で任意に回動自在となるように連結してある。
【００２３】
このようにすることで、上実施形態と同様に連結体４のみが傾斜して上下に幅を有する保持部３が略水平状態を保ったまま建物外壁Ｗからの距離が調節できて、保持部３にて垂直（鉛直）方向に配設してある竪樋Ｔを片当たりすることなく保持可能となり、更に、水平方向の固定部２の取付け位置の誤差も吸収される。
【００２４】
【発明の効果】
上記のように本発明の請求項１記載の発明にあっては、建物外壁に固定する固定部と、竪樋を保持する保持部と、前記固定部と保持部とを連結する連結体とからなる竪樋支持具であって、一方が横軸部であると共に他方が前記横軸部を受ける軸受部である内係合部と内被係合部とをそれぞれ連結体の建物側の端部と固定部とに設け、一方が横軸部であると共に他方が前記横軸部を受ける軸受部である外係合部と外被係合部とをそれぞれ連結体の建物から遠い側の端部と保持部とに設け、前記連結体の両端部に設けた内係合部と外係合部とをそれぞれ固定部の内被係合部と保持部の外被係合部とに回動自在に係合したので、連結体のみが傾斜して上下に幅を有する保持部が略水平状態を保ったまま建物外壁からの距離が調節できて、保持部にて垂直（鉛直）方向に配設してある竪樋を片当たりすることなく保持可能となるものである。
【００２５】
また請求項２記載の発明にあっては、上記請求項１記載の発明の効果に加えて、建物外壁に固定する固定部と、竪樋を保持する保持部と、前記固定部と保持部とを連結する連結体とからなる竪樋支持具であって、一方が略球状部であると共に他方が前記略球状部を受ける内面球状の受部である内係合部と内被係合部とをそれぞれ連結体の建物側の端部と固定部とに設け、一方が略球状部であると共に他方が前記略球状部を受ける内面球状の受部である外係合部と外被係合部とをそれぞれ連結体の建物から遠い側の端部と保持部とに設け、前記連結体の両端部に設けた内係合部と外係合部とをそれぞれ固定部の内被係合部と保持部の外被係合部とに任意に回動自在に係合したので、連結体のみが傾斜して上下に幅を有する保持部が略水平状態を保ったまま建物外壁からの距離が調節できて、保持部にて垂直（鉛直）方向に配設してある竪樋を片当たりすることなく保持可能となり、更に、水平方向の固定部の取付け位置の誤差も吸収される。
【００２６】
また請求項３記載の発明にあっては、上記請求項１又は２記載の発明の効果に加えて、保持部の内面に内方に突出してその尖先が竪樋外面と線接触又は点接触する当接部を周方向に設けたので、当接部の尖先が竪樋の外面を容易に摺動して竪樋の伸縮を逃がすことができる。
【図面の簡単な説明】
【図１】本発明の一実施形態を示し、（ａ）は側面図であり、（ｂ）は平面図である。
【図２】同上において連結体が回動して傾斜した状態の側面図である。
【図３】同上において竪樋を保持する竪樋支持部の断面図である。
【図４】他の実施形態を示し、（ａ）は側面図であり、（ｂ）は平面図である。
【符号の説明】
１    竪樋支持具
２    固定部
２１  内被係合部
３    保持部
３１  外被係合部
４    連結体
４１  内係合部
４２  外係合部
５１  横軸部
５２  軸受部
Ｗ    建物外壁
Ｔ    竪樋
【図１】
2004324121.tif 000003
【図２】
2004324121.tif 000004
【図３】
2004324121.tif 000005
【図４】
2004324121.tif 000006